(57)【要約】 【課題】  チリを設定した場合であっても、外から隙間風が部屋に入らないこと。施錠片をトリガーや取付け座側の押圧腕部材に対して合理的に構成すること。さらに、悪戯による部品の破損防止を図ること。【解決手段】  チリ調整機能を有する引戸錠に於いて、トリガー３１は、長杆状先端部３２と、この先端部に幅広に連設し、かつ、施錠片用係合部分４１を有する幅広状後端部３３とから成り、幅広後端部には、鎌片４３を受け金具Ｙに掛合させた閉戸時、施錠片６１の錠止腕６２を前記係合部分４１にスライド係合させた施錠状態の場合であっても、引戸をさらにチリを狭める方向に移動させると、鎌片及びトリガーが後退できるように施錠片用係合部分４１の前方側に水平方向のガイド横溝４２を形成したことを特徴とする引戸錠。【選択図】  図１０
2006207335.tif 000002
【特許請求の範囲】
【請求項１】
引戸を閉めると、戸枠側の受け金具に当たって錠箱内に後退するトリガー、固定軸に軸支されかつトリガーの後退動に連動して前記受け金具に係合する方向へ回転する鎌片をそれぞれ備え、チリ調整機能を有する引戸錠に於いて、前記トリガー３１は、長杆状先端部３２と、この先端部に幅広に連設し、かつ、施錠片用係合部分４１を有する幅広状後端部３３とから成り、前記幅広後端部には、鎌片４３を受け金具Ｙに掛合させた閉戸時、施錠片６１の錠止腕６２を前記係合部分４１にスライド係合させた施錠状態の場合であっても、前記引戸をさらにチリを狭める方向に移動させると、前記鎌片及びトリガーが後退できるように前記施錠片用係合部分４１の前方側に水平方向のガイド横溝４２を形成したことを特徴とする引戸錠。
【請求項２】
請求項１に於いて、施錠片６１は、板状に形成された上下方向のスライド部材であり、錠箱１０の側壁開口部１９を介して該錠箱内挿入された押圧腕部材６９と係合する係合窓６３を有することを特徴とする引戸錠。
【請求項３】
請求項２に於いて、押圧腕部材６９は、取付け座６７にスイング自在に設けられていることを特徴とする引戸錠。
【請求項４】
請求項１に於いて、施錠片６１に形成された係合窓６３を基準にすると、錠箱１０内に配設されたラッチング機構Ｚ側に錠止腕６２が形成されていることを特徴とする引戸錠。
【請求項５】
請求項１に於いて、トリガー３１と係脱可能なラッチ板５３を有するラッチング機構Ｚは、フロントの内壁面と施錠片６１の錠止腕６２側とで区画された空間部分７に配設されていることを特徴とする引戸錠。
【請求項６】
請求項５に於いて、ラッチング機構Ｚは、錠箱１０内の空間部分に設けられたユニット部材であり、しかも、ユニット部材は、水平可動軸５２を有すると共に、垂直方向に移動可能な枠状支持片５１と、前記水平可動軸に軸支され、かつ、トリガーの一辺に形成された第１と係合可能な係止爪部５３ａを有するラッチ板５３と、前記支持片に組み込まれ、かつ、前記ラッチ板を係合可能な位置へ付勢する仮止め用バネ５４とから成ることを特徴とする引戸錠。
【発明の詳細な説明】
【技術分野】
【０００１】
本発明は、引戸を閉めると、戸枠側の受け金具に当たって錠箱内に後退するトリガー、該トリガーに連動する鎌片を備え、チリ調整機能を有する引戸錠に関する。
【背景技術】
【０００２】
錠箱のフロントから受け金具に向かって突出するトリガー（水平突出杆）と、このトリガーの後退動に連動して前記受け金具に係合する方向へ回転する鎌片を備えた建具用引戸錠は、例えば実開昭５７−１１０２６０号公報（特許文献１）に記載されている。
【０００３】
この種の引戸錠は、引戸の閉戸時、トリガーはその先端面がストライクの表面に突き当たると後退し始め、鎌片は動力変換機構（例えばラック及びピニオン）を介して掛合方向へと突出する。
【０００４】
ところで、鎌片を受け金具に掛合させた閉戸時、引戸は、完璧に閉じるのではなく、引戸の場合であっても、建具の誤差を考慮して普通一般に引戸の先端面と戸枠との間には「３ｍｍ，５ｍｍ等のチリ」を設定する。このようにチリを設定した場合でも、例えば外から隙間風が部屋に入らないように引戸をさらにチリを狭める方向に移動させる場合がある。
【０００５】
なお、引戸を開いている場合に於いて、悪戯により、鎌片が突出させ、かつ、施錠片を取付け座側の操作部材（例えば操作片）を操作して施錠片をトリガーに係止させ（本施錠状態）で、引戸を閉める場合があり得る。このような場合、鎌片、施錠片等が変形や破損する恐れがある。特に、実施（製品）レベルでは、引戸を閉めた時の跳ね返り防止用として錠箱内にラッチング機構（仮施錠機構）を設ける場合が多いが、該ラッチング機構のラッチ板の係合部分は爪状なので、悪戯による引戸の閉戸時は、ラッチング機構に悪影響を与えるという問題点がある。なお、ラッチング機構の一例は特許文献２に記載されている。
【特許文献１】実開昭５７−１１０２６０号公報
【特許文献２】特開２００２−３２２８５０号公報
【発明の開示】
【発明が解決しようとする課題】
【０００６】
本発明の目的は、本施錠状態にした場合であっても、引戸をさらにチリを狭める方向に移動させることができるようにすることである。また、施錠片をトリガーや取付け座側の押圧腕部材に対して合理的に構成することである。さらに、トリガーと係脱可能な本施錠片及びラッチング機構を錠箱内に組み込む際に、これらの部材を合理的に配設し、錠箱の限られた空間部分を有効的に活用することである。その他施錠片を簡単にスライドさせ得ること、ラッチング機構を簡単に錠箱に組み込むことができること等の目的は、従属項によって特定される。
【課題を解決するための手段】
【０００７】
本発明の引戸錠は、引戸を閉めると、戸枠側の受け金具に当たって錠箱内に後退するトリガー、固定軸に軸支されかつトリガーの後退動に連動して前記受け金具に係合する方向へ回転する鎌片をそれぞれ備え、チリ調整機能を有する引戸錠に於いて、前記トリガー３１は、長杆状先端部３２と、この先端部に幅広に連設し、かつ、施錠片用係合部分４１を有する幅広状後端部３３とから成り、前記幅広後端部には、鎌片４３を受け金具Ｙに掛合させた閉戸時、施錠片６１の錠止腕６２を前記係合部分４１にスライド係合させた施錠状態の場合であっても、前記引戸をさらにチリを狭める方向に移動させると、前記鎌片及びトリガーが後退できるように前記施錠片用係合部分４１の前方側に水平方向のガイド横溝４２を形成したことを特徴とする。
【発明の効果】
【０００８】
（１）施錠状態の場合であっても、引戸を、さらにチリを狭める方向に移動させることができる。したがって、チリを設定した場合であっても、外から隙間風が部屋に入らないという利点がある。
（２）施錠片をトリガーや取付け座側の押圧腕部材に対して合理的に構成したから、該施錠片は多面的に機能を発揮する。
（３）錠箱内の空間部分の有効利用を図ることができる。
（４）組み合わせの容易化を図ることができる。
（５）請求項３に記載の発明は、プッシュ方式により、施錠片を簡単にスライドさせ得ることができる。
（６）請求項６に記載の発明は、ラッチング機構を簡単に錠箱に組み込むことができる。
（７）第２実施例は、悪戯による部品の破損防止を図ることができる。
【発明を実施するための最良の形態】
【０００９】
図１乃至図１０に示す第１実施例を参照に本発明の引戸錠Ｘの一例を説明する。
【００１０】
（１）発明の実施の環境
まず図１及び図２を参照に発明の実施の環境（第１実施例）について説明する。Ｘは、例えば引戸１の中に収められる彫り込み型の引戸錠である。一方、Ｙは戸枠２に固定的に取付けられた受け金具である。受け金具Ｙは、ボックス部を有するトロヨケ３と、このトロヨケ３の開口に重ね合わせられたストライク（受座）４とから成る。ストライク４は縦長の板状に形成され、複数個の固着手段５を介してトロヨケ３の耳状の取り付け部に固定される。本実施例では、長板状のストライク（受座）４の表面にトリガー３１の先端部が当接可能である。
【００１１】
また、普通一般に引戸１の先端面と戸枠２との間には「３ｍｍ，５ｍｍ等のチリ」を設定するが、本実施例では、閉戸時、チリがあっても、引戸１を閉めることが可能であり、引戸１を閉めると、チリがなくなる。すなわち、閉戸時、長板状のストライク（受座）４の表面に引戸１の先端面が当接可能である。その際、トリガー３１及び鎌片４３は錠箱１０内に後退可能である。
【００１２】
（２）錠箱
次に錠箱について説明する。１０は引戸１の縦框に内装される錠箱である。この錠箱１０は、ケース身１０ａと、このケース身の大きい開口部（側壁部分に相当）を閉鎖する矩形板状のケース蓋１０ｂとから成る。錠箱１０も引戸錠Ｘの一部を成す。
【００１３】
１１は錠箱１０の前側の開口に固定されたフロントである。このフロント１１は、普通一般に錠箱１０のフロント前壁１２に固定されている。ここでは、フロント前壁１２もフロント１１の用語に含まれる。
【００１４】
１３は錠箱を引戸１に固定するための複数個の第２固着手段である。１４は鎌片用出入り窓で、この出入り窓１４の上部側には、換言すればフロント１１の略中心部には、トリガーを案内する角筒状のトリガー支持部材１５が取り付けられている。トリガー支持部材１５は、先端部寄りの部位に位置決め突起１６や取付け部分が設けられている。位置決め突起１６は、フロント１１に当接することができるように上下対称、鍔状など適宜形状に形成されている。そして、突起１６の先端部側は、図２で示すようにフロント１１に嵌め込まれている。
【００１５】
（３）ケース身とケース蓋
図３はケース身１０ａの正面図である。ここで、図１乃至図３を参照にしてケース身１０ａ及びケース蓋１０ｂに形成された主な取付け部（例えば側壁開口部、ガイド孔、軸孔、取付け孔、等）ついて説明する。
【００１６】
まず符号１８は、図１及び図３で示すように、錠箱１０の上部側に形成された複数個（例えば２個）の貫通孔で、これらの貫通孔１８には、図９に示す引戸壁面側の取付け座６７のパイプ状連結杆６８が嵌挿する。
【００１７】
次に１９は、前記貫通孔１８の上位に形成された側壁開口部で、該側壁開口部１９は、施錠片６１の矩形状係合窓６３と対向可能である。したがって、図９に示すように前記取付け座６７に軸支された（本実施例）、又は取付け座６７にスライド自在に設けられた押圧腕部材６９は、錠箱１０の側壁開口部１９を介して該錠箱内に挿入され、かつ、施錠片６１の係合窓６３に係合する。本実施例では、図１０で示すように、押圧腕部材６９の板状操作部分６９ｂがスイングすると、前記施錠片６１が上下方向にスライド可能である。
【００１８】
次に２０は、ケース身１０ａ及びケース蓋１０ｂの中央部に形成された横長案内長孔で、この横長案内長孔２０は、フロント１１（先端部）側の弧状案内部２０ａと、これに連続する直線案内部２０ｂとから成る。この横長案内長孔２０には、鎌片４３の後端部に固定的に設けられた可動軸２１が係合する。
【００１９】
次に２２は弧状案内部２０ａの直ぐ下方に設けられた円形軸孔で、この円形軸孔２２には、鎌片４３を案内する固定軸２３が設けられている。鎌片用の固定軸２３は、後述する鎌片長孔４４を介して錠箱１０に横設軸架されている。
【００２０】
次に２４は弧状案内部２０ａとフロント１１との間に形成された矩形小孔状の第１取付け部で、この第１取付け部２４には、前述したトリガー支持部材１５が適宜に取り付けられる。したがって、第１取付け部２４は、弧状案内部２０ａよりも若干上位のフロント１１寄りの部位に形成されている。
【００２１】
次に２５は弧状案内部２０ａとケース身１０ａの上壁との間に形成された垂直案内部（例えば長孔）で、この垂直案内長孔２５には、後述のラッチング機構Ｚを構成する水平可動軸５２が取り付けられる。付言すると、本実施例のラッチング機構Ｚは一組のユニット部材であることから、案内長孔２５は、ユニット部材Ｚを錠箱１０内に組み込むことができるようにケース身１０ａの上壁付近に形成された矩形小孔状の第２取付け部２６と弧状案内部２０ａとの間に位置するように形成されている。前記矩形小孔状の第２取付け部２６には、ユニット部材Ｚの一部を構成し、かつ、ユニット部材の枠状支持片５１を上下方向に案内するガイド部材（垂直軸部材）が適宜に取り付けられる。
【００２２】
次に２７はフロント１１と第２取付け部２６との間に形成された矩形小孔状の第３取付け部で、この錠箱１０の隅角部に形成された第３取付け部２７には、弱いバネ用の支持軸２８が取り付けられている。さらに、錠箱１０の下部の中央部には、矩形小孔状の第４取付け部２９が形成され、この第４取付け部２９には、ケース蓋固定用のメネジ支持杆３０が取り付けられている。このメネジ支持杆３０は、鎌片４３が錠箱内に戻った時に所定位置で止めるストッパー機能を有している（図２参照）。その他錠箱１０にはバネ支持具用の取付け部等が適宜に形成されている。
【００２３】
（４）施錠片
図８及び図９を参照にして施錠片６１を説明する。施錠片６１は、肉厚板状に形成された上下方向のスライド部材であり、少なくとも錠箱１０の側壁開口部１９を介して該錠箱１０内にその係合腕６９ａが挿入された押圧腕部材６９と係合可能な係合窓６３を有する。本実施例の係合窓６３は矩形状に形成されている。この係合窓６３を基準にすると、ラッチング機構Ｚ側には、前述した錠止腕６２が垂直状態に延びている。
【００２４】
一方、係合窓６３よりも上方部分には、錠箱１０の上壁内面に当接可能な突起部分６４が形成されている。さらに、係合窓６３よりも下方部分には、取付け座６７の連結杆６８と係合可能な下向きＵ字状の切欠部分６５が複数個並列に形成されている。
【００２５】
（５）トリガーとトリガーバネ
次に図４乃至図６を参照にしてトリガー３１を説明する。図４はトリガー３１の正面図、図５はその左側面図、図６は図４の６−６線断面図である。トリガー３１は錠箱１０内に摺動自在に装着されている。このトリガー３１は、長杆状先端部３２と、この突出先端部３２に幅広に連設する幅広状後端部３３とから成り、図２で示すように引戸が開いている時は、前記先端部３２は錠箱１０のフロント１１から突出する。
【００２６】
しかして、３４は前記幅広後端部３３の上辺の先端部分に傾斜状に形成された摺接面、３５はこの傾斜状摺接面３４に続く爪状の仮止め用係合部分である。この摺接面３４及び仮止め用係合部分３５は、ラッチング機構Ｚを構成するラッチ板用の第１係合部分に相当し、前者３４はラッチ板５３を誘導し、一方、後者３５の垂直面３５ａは閉戸時にラッチ板５３を係止する。
【００２７】
また、３６は幅広後端部３３の下辺の先端部分に下向きＵ字形状に形成された第２係合部分で、この第２係合部分には、前述した鎌片の可動軸２１が摺接自在に係合する。また、３７は幅広後端部３３の後端面からその内部にかけて横溝状に形成されたバネ嵌合部分で、このバネ嵌合部分３７にはトリガーバネ３８の先端側が組み込まれている。
【００２８】
ここで、トリガーバネ３８について説明する。図２，図８で示すように、トリガーバネ３８は幅広後端部３３とケース身１０ａの後壁との間に横方向に組込まれ、その先端部が幅広後端部３３のバネ嵌合部分３７の内面に適宜に圧接し、一方、後端部は後壁に固定的に設けられたバネ支持具３９に支持されている。したがって、トリガー３１は、トリガーバネ３８のバネ力により、その先端部３２の一部が常時フロント１１から突出するように付勢されている。
【００２９】
また、幅広後端部３３の側壁中央部には突起４０が設けられ、該突起４０は錠箱１０に設けられたトリガーガイド（図示しない）に案内される。本実施例のトリガー３１は、その先端部３２が角筒状のトリガー支持部材１５に常に嵌入している。したがって、トリガー３１はトリガー支持部材１５及び前記突起４０に案内されて安定的に進退動する。
【００３０】
さらに、幅広後端部３３の後側の上部には、前述した押圧腕部材６９により上下動する施錠片６１の錠止腕６２と係合する第３係合部分４１が形成されている。この第３係合部分４１は、仮止め用係合部分３５よりも低い位置にある。
【００３１】
加えて、幅広後端部３３の前記第３係合部分４１の垂直錠止面４１ａの前方には、該幅広後端部３３の先端面３３ａに至る水平方向のガイド横溝４２が形成されている。このガイド横溝４２は、本施錠時、すなわち、閉戸時、図９で示すように、係合腕部分６９ａ及び操作板６９ｂを含む押圧腕部材６９がスイングし、その結果、施錠片６１の錠止腕６２がガイド横溝４２に係合状態になった場合に於いて、引戸１をチリがなくなる方向へ閉めた時に、ストライク４の面によって押圧されるトリガー３１及びこれに連動する鎌片４３が錠箱内に後退することができるように前記錠止腕６２を案内する。
【００３２】
（６）鎌片
鎌片４３は全体として人差し指を折り曲げた形態をしており、その幅広基部４３ａの縁部には可動軸２１が突設されている。前述したように、可動軸２１は錠箱１０の横長案内長孔２０に係合している。また鎌片４３の基部４３ａには鎌片長孔４４が形成されている。鎌片４３は、該鎌片長孔４４を貫通する固定軸２３に軸支されている。したがって、鎌片４３がトリガー３１に連動するための動力変換機構は、トリガー３１の第２係合部分３６と鎌片４３の可動軸２１で構成されているから、極めてシンプルな構成となっている。
【００３３】
ところで、前記鎌片長孔４４はチリ調整機能を有する。この鎌片長孔４４は、横長案内長孔２０の直線案内部２０ｂと相俟って、引戸１の閉戸時であっても、換言すれば、鎌片４３の鉤状先端部４０ｂがストライク４に係合（掛合）のままであっても、引戸１をさらに閉めると、鎌片４３の基部４３ａ側を錠箱１０内に後退させることができる。
【００３４】
（７）ラッチング機構の配設箇所と具体的構成
図８で示すように、フロント１１の内壁面と施錠片６１の錠止腕６２側とで区画された空間部分７にトリガー３１と係脱可能なラッチ板５３を有するラッチング機構Ｚが配設されている。
【００３５】
鎌片４３を仮施錠状態にする、又は仮施錠状態を解消するラッチング機構Ｚは、錠箱１０内の空間部分に設けられた一組のユニット部材である。該ユニット部材Ｚは、図７で示すように、垂直方向に移動可能な枠状の支持片５１と、この支持片５１に水平可動軸５２を介して軸支され、かつ、トリガー３１の一辺に形成された仮止め用係合部分３５と係合可能な係止爪部５３ａを有するラッチ板５３と、前記支持片５１に前記水平可動軸５２を介して組み込まれ、かつ、前記ラッチ板５３を係合可能に位置へ付勢する仮止め用バネ５４とから成る。
【００３６】
前記支持片５１は、仮止め用バネ５４よりもバネ力が弱く設定された錠箱内装の支持片用バネ５７により、該支持片５１と一体的なラッチ板５３がトリガー３１に係合する方向へ付勢されている。
【００３７】
また、前記ラッチ板５３は、水平可動軸５２用の軸孔の回りに前記バネ５４装着用の溝５５を有すると共に、前記係止爪部５３ａとは反対側に延びるバネ端５４ａ用の突起状支持部分６９ｂを有している。
【００３８】
また、前記仮止め用バネ５４の他端部５４ｂは支持片５１の上壁部分に形成したバネ端支持孔に支持されている。さらに、前記支持片５１には、支持軸２８に中央部が巻装された弱いバネ（仮止め用バネ５４に比してバネ力が弱い）５７の一端部が圧接している。
【００３９】
ところで、本実施例のユニット部材Ｚは、水平移動するトリガー３１を基準にすると、鎌片４３が軸支された空間部分とは反対側の空間部分に設けられている。また、前述したように、ユニット部材は、錠箱１０の内壁面に固定され得る支持片用ガイド部材５６を含み、一組のユニット部材を構成している。それ故に、ユニット部材Ｚを極めて簡単に錠箱１０内に取り付けることができる。
【００４０】
（８）ラッチング機構Ｚの作用
図７はラッチング機構Ｚの仮施錠状態に至る概略説明図である。したがって、ラッチング機構Ｚの仮施錠状態が解消する場合は、図７とは逆の作動態様となる。また、図８は、鎌片４３、引戸１等も含めた全体の動きを示す概略説明図である。まず、図２と図８とを対比すると明らかなように、図２は引戸１を矢印Ａ方向に閉める途中に於いて、トリガー３１の先端部３２がストライク４に当たる寸前を示しているのに対し、図８はトリガー３１がトリガー支持部材１５及び前記突起４０に案内されて錠箱１０内に後退し、該トリガー３１の後退動に連動して鎌片４３が固定軸２３を支点に時計（掛合）方向に回転し、その結果、鎌片４３の先端部４３ａがストライク４に係合した状態を示している。
【００４１】
図２から図８の閉戸時状態になる過程に於いて、ユニット部材Ｚを構成する支持枠５１、水平可動軸５２、ラッチ５３等は、ラッチ５３が後退動するトリガー３１の傾斜状摺接面３４に押圧されると、支持枠用の弱いバネ５７のバネ力に抗して上方に移動し、その係止爪部５３ａが摺接面３４を乗り越えると、引戸１の所定のチリを有する閉鎖位置にて、今度は弱いバネ５７のバネ力により下方に移動する。
【００４２】
したがって、前記係止爪部５３ａはトリガー３１の仮止め用係合部分３５自動的に係合する。これが仮施錠状態である。この時、ラッチ５３は錠箱１０に案内される水平可動軸５２を介して上下動する反面、反時計方向へは回転しない。それはラッチ５３の突起状支持部分６９ｂが支持枠５１の左側垂直壁の内面に支持されているからである。
【００４３】
それ故に、引戸１を開いた場合には、トリガーバネ３８のバネ力により錠箱１０から進出するトリガー３１の第１係合部分３５により、ラッチ５３は、強いバネ５４のバネ力に抗して図８で示す矢印Ｂ（時計方向）に回転し、その結果、仮施錠状態が解消する。
【００４４】
（９）閉戸時及び本施錠状態
図１０（ａ）は、通常の閉戸時に於いて、例えば内側の取付け座６７の操作板６９ｂをプッシュして押圧腕部材６９の係合腕部分６９ａが下方方向へ揺動し、その結果、施錠片６１が矢印Ｃで示す下方方向へスライドしてその錠止腕６２がガイド横溝４２に係合状態になった場合である。
【００４５】
一方、図１０（ｂ）は、前記（ａ）の本施錠状態に於いて、引戸１を、さらにチリがなくなる方向へ閉め時である。引戸錠Ｘはチリ調整機能を有する（例えば鎌片長孔４４）。したがって、所定のチリを有する閉鎖位置にて、引戸１を閉めた場合には、トリガー３１はストライク４の面によって押され、これに連動する鎌片４３は、錠箱１０の横長案内長孔２０の直線案内部２０ｂ及び鎌片４３の鎌片長孔４４の両者に案内される固定軸２３を介してトリガー３１と一緒に錠箱１０内に後退する。こ時、ガイド横溝４２は、前述したように幅広後端部３３が錠止腕６２と干渉しないように該錠止腕６２を案内する機能を発揮する。
【実施例】
【００４６】
この欄では図１１及び図１２に示す本発明の第２実施例について説明する。なお、第２実施例と第１実施例との構成上の同一部分には、同一又は同様の符号を付して重複する説明を省略する。
【００４７】
この第２実施例は、第１実施例の構成の主要部をそのまま含み、本発明の主たる目的に、「悪戯による部品の破損防止」の目的が加味されている。その目的を達成する手段として、トリガー支持部材１５Ａの先端部に鎌片４３の先端部４３ｂの先部分を受け入れる開口或いは切欠部７０を形成している。該トリガー支持部材１５Ａは、トリガー３１を案内する機能及び鎌片４３の先端部４３ｂの先部分を受け入れる機能を有する。
【００４８】
この第２実施例は、引戸を開いた状態に於いて、鎌片４３を突出させ、かつ、前記施錠片６１をトリガー３１の一辺のガイド横溝４２に係合させた時、該施錠片６１が施錠状態であっても、鎌片及びトリガーが後退できると共に、悪戯に起因する完全閉戸時、トリガー３１及び鎌片４３の全体が錠箱１０内に略収まる。したがって、第２実施例は、発明の効果の欄に記載したような利点がある。
【産業上の利用可能性】
【００４９】
本発明は、主に錠前や建具の業界で利用される。
【図面の簡単な説明】
【００５０】
図１乃至図１０は本発明の第１実施例を示す各説明図である。図１１及び図１２は本発明の第２実施例を示す各説明図である。
【図１】引戸錠の実施形態の一例を示す斜視図（取付け座は省略）。
【図２】引戸を開いた一例の内部構造を示す概略説明図。
【図３】ケース身の正面図。
【図４】トリガーの正面図。
【図５】トリガーの左側面図。
【図６】図４の６−６線断面図。
【図７】主要部の作用を示す概略説明図。
【図８】引戸１を閉める途中の概略説明図。
【図９】取付け座、押圧腕部材、施錠片及びトリガーの組合せを示す概略説明図。
【図１０】（ａ）は引戸の閉戸時に於いて、施錠片の錠止腕がトリガーのガイド横溝に係合した状態の概略説明図。（ｂ）は前記（ａ）の本施錠状態に於いて、引戸を、さらにチリがなくなる方向へ閉め時の概略説明図。
【図１１】第２実施例の主要部を示す概略説明図
【図１２】第２実施例の全体を示す概略説明図。
【符号の説明】
【００５１】
Ｘ…引戸錠、Ｙ…受け金具、Ｚ…ラッチング機構、１…引戸、２…戸枠、３…トロヨケ、４…ストライク、５，１３…固着具、７…空間部分、１０…錠箱、１０ａ…ケース身、１１…フロント、１２…フロント前壁、１４…出入り窓、１５，１５Ａ…トリガー支持部材、１６…位置決め用突起、１８…貫通孔、１９…側壁開口部、２０…横長案内長孔、２１…可動軸、２２…円形軸孔、２３…固定軸、２４，２６，２７，２９…取付け部、２８…支持軸、２５…垂直案内長孔、３１…トリガー、３２…長杆状先端部、３３…幅広状後端部、３４…摺接面、３５…仮止め用係合部分（第１係合部分）、３５ａ…垂直面、３６…第２係合部分、３７…バネ嵌合部分、３８…トリガーバネ、３９…バネ支持具、４０…突起、４１…第３係合部分、４１ａ…垂直錠止面、４２…ガイド横溝、４３…鎌片、４３ａ…基端部、４３ｂ…先端部、４４…鎌片長孔、５１…支持片、５２…水平可動軸、５３…ラッチ板、５３ａ…係合爪部、５４…ラッチ板用バネ（強いバネ）、５６…支持片用ガイド部材、５７…支持片用バネ（弱いバネ）、６１…施錠片、６２…施錠腕、６３…係合窓、６４…突起部分、６５…切欠部分、６７…取付け座、６８…連結杆、６９…押圧腕部材、６９ａ…係合腕部分、６９ｂ…操作部分、７０…切欠部、Ａ，Ｂ，Ｃ…矢印。
【図１】
2006207335.tif 000003
【図２】
2006207335.tif 000004
【図３】
2006207335.tif 000005
【図４】
2006207335.tif 000006
【図５】
2006207335.tif 000007
【図６】
2006207335.tif 000008
【図７】
2006207335.tif 000009
【図８】
2006207335.tif 000010
【図９】
2006207335.tif 000011
【図１０】
2006207335.tif 000012
【図１１】
2006207335.tif 000013
【図１２】
2006207335.tif 000014